(57)【要約】  生体医学用途向けの、リンシリケートカルシウム（ＣＰＳ、Ｃａ１０（ＰＯ４）４（ＳｉＯ４）２）を含むバイオセラミック組成物の製造方法であって、カルシウム又はカルシウム含有化合物と、リン含有化合物と、ケイ素含有化合物と、を準備する工程と、前記化合物をアルカリ性ｐＨにおいて水相内で反応させることにより、沈殿を生成する工程と、を備える方法。【選択図】図１
2011509235.tif 000002
【特許請求の範囲】
【請求項１】
生体医学用途向けの、リンシリケートカルシウム（ＣＰＳ、Ｃａ１０（ＰＯ４）４（ＳｉＯ４）２）を含むバイオセラミック組成物の製造方法であって、
カルシウム又はカルシウム含有化合物と、リン含有化合物と、ケイ素含有化合物と、を準備する工程と、
前記化合物をアルカリ性ｐＨにおいて水相内で反応させることにより、沈殿を生成する工程と、
を備える方法。
【請求項２】
前記リンシリケートカルシウムが、前記組成物中に、主相として、７０重量％以上、好ましくは８０重量％以上の量で存在する、請求項１に記載の方法。
【請求項３】
カルシウム対リン酸塩＋シリケートのモル比が、約１０：６である、請求項１又は２に記載の方法。
【請求項４】
リン酸塩対シリケートのモル比が、約５：１〜約４：２である、請求項１〜３のいずれか一項に記載の方法。
【請求項５】
リン酸塩対シリケートのモル比が、約４．２：１．８〜約４：２である、請求項４に記載の方法。
【請求項６】
前記カルシウム含有化合物が、カルシウム塩である、請求項１〜５のいずれか一項に記載の方法。
【請求項７】
前記カルシウム塩が、水酸化カルシウム、塩化カルシウム、硝酸カルシウム及び／又は硝酸カルシウム水和物の１種又は複数から選択される、請求項６に記載の方法。
【請求項８】
前記リン含有化合物が、リン酸塩及び／又はリン酸の一方又は両方から選択される、請求項１〜７のいずれか一項に記載の方法。
【請求項９】
前記リン含有化合物が、リン酸アンモニウム及び／又はリン酸の一方又は両方から選択される、請求項８に記載の方法。
【請求項１０】
前記ケイ素含有化合物が、シリケートである、請求項１〜９のいずれか一項に記載の方法。
【請求項１１】
前記シリケートが、テトラエチルオルトシリケート（ＴＥＯＳ）及び／又は酢酸ケイ素（ｓｉｌｉｃｏｎ  ａｃｅｔａｔｅ）の一方又は両方から選択される、請求項１０に記載の方法。
【請求項１２】
前記シリケートが、２０重量％以下、好ましくは１２〜２０重量％、より好ましくは１７〜２０重量％の量で、材料中に存在する、請求項１０又は請求項１１に記載の方法。
【請求項１３】
前記ｐＨが８〜１３である、請求項１〜１２のいずれか一項に記載の方法。
【請求項１４】
前記ｐＨが１０〜１２である、請求項１３に記載の方法。
【請求項１５】
溶液のｐＨを所望のｐＨに調整するためにアルカリを添加する、請求項１〜１４のいずれか一項に記載の方法。
【請求項１６】
前記アルカリが、水酸化アンモニウムである、請求項１５に記載の方法。
【請求項１７】
前記沈殿が生じた後、前記沈殿は１０００℃〜１６００℃の範囲の温度まで加熱される、請求項１〜１６のいずれか一項に記載の方法。
【請求項１８】
前記沈殿が、１１００℃〜１５００℃、好ましくは１２００℃〜１３００℃の範囲の温度まで加熱される、請求項１７に記載の方法。
【請求項１９】
前記沈殿が、１〜１２０時間、好ましくは２〜３２時間、より好ましくは４〜３２時間加熱される、請求項１７又は１８に記載の方法。
【請求項２０】
加熱温度から試料を冷却する工程と、場合によって加熱後のアニーリングステップを行う工程と、をさらに含む、請求項１７〜１９のいずれか一項に記載の方法。
【請求項２１】
リンシリケートカルシウム（ＣＰＳ、Ｃａ１０（ＰＯ４）４（ＳｉＯ４）２）を含み、請求項１〜２０のいずれか一項に記載の方法によって得られる、合成バイオセラミック組成物。
【請求項２２】
リンシリケートカルシウムを主相として、好ましくは５０重量％以上、より好ましくは６０重量％以上、含む、請求項２１に記載の合成バイオセラミック組成物。
【請求項２３】
リンシリケートカルシウムを主相として含み、
二次副相に、ヒドロキシアパタイト、シリケート置換ヒドロキシアパタイト、アルファ−リン酸三カルシウム、ベータ−リン酸三カルシウム、ブルシャイト、モネタイト、リン酸四カルシウム、リン酸八カルシウム、ピロリン酸カルシウム、シリケートカルシウム、酸化カルシウム、炭酸カルシウム、非晶質リン酸カルシウムガラス、非晶質シリケートカルシウムガラス及び／又は非晶質リンシリケートカルシウムガラスの１種又は複数を含む、請求項２１又は２２に記載の合成バイオセラミック組成物。
【請求項２４】
リンシリケートカルシウム相が、全結晶相組成物のおよそ９８（±２）重量％を構成する、請求項２１〜２３のいずれか一項に記載の合成バイオセラミック組成物。
【請求項２５】
前記リンシリケートカルシウム相が、全結晶相組成物の５０〜９８重量％、好ましくは７０〜９８重量％、より好ましくは９０〜９８重量％を構成する、請求項２１〜２３のいずれか一項に記載の合成バイオセラミック組成物。
【請求項２６】
副成分として非晶質相も含有する、請求項２１〜２５のいずれか一項に記載の合成バイオセラミック組成物。
【請求項２７】
請求項２１〜２６のいずれか一項に記載の組成物を含む、合成骨材料、骨インプラント、骨移植片、骨補填材、骨足場、充填材、コーティング又はセメント。
【請求項２８】
主相としてリンシリケートカルシウム（ＣＰＳ、Ｃａ１０（ＰＯ４）４（ＳｉＯ４）２）を含む合成バイオセラミック組成物であって、二次相がヒドロキシアパタイト及び／又はヒドロキシアパタイト様相を含む組成物。
【請求項２９】
主相としてリンシリケートカルシウム（ＣＰＳ、Ｃａ１０（ＰＯ４）４（ＳｉＯ４）２）を含む合成バイオセラミック組成物であって、二次相が、アルファ−リン酸三カルシウム、アルファ−リン酸三カルシウム様相、ベータ−リン酸三カルシウム及び／又はベータ−リン酸三カルシウム様相の１種又は複数を含む組成物。
【請求項３０】
主相としてリンシリケートカルシウム（ＣＰＳ、Ｃａ１０（ＰＯ４）４（ＳｉＯ４）２）を含む合成バイオセラミック組成物であって、
二次相が、
（ｉ）ヒドロキシアパタイト及び／又はヒドロキシアパタイト様相；及び、
（ｉｉ）アルファ−リン酸三カルシウム及び／又はアルファ−リン酸三カルシウム様相の一方又は両方；及び／又は、
（ｉｉｉ）ベータ−リン酸三カルシウム及び／又はベータ−リン酸三カルシウム様相；
を含む、組成物。
【請求項３１】
請求項２８〜３０のいずれか一項に記載の組成物を含む、合成骨材料、骨インプラント、骨移植片、骨補填材、骨足場、充填材、コーティング又はセメント。
【発明の詳細な説明】
【発明の詳細な説明】
【０００１】
本発明は、生体医学材料、特に、リン酸カルシウム系バイオセラミックスに関する。
【０００２】
高齢化と、生活の質への大きな期待との複合的な要因により、損傷した骨や間接の置換又は増強のために、整形外科用インプラントの世界的な需要が増加している。骨移植の代表的な方法としては、自己移植片及び同種移植片の使用が挙げられるが、これらの方法は供給及び一貫性に限界があるため、次第に非理想的であると考えられている。セラミックスは、従来の骨移植片を代替又は拡張するための、骨移植片代替材としての使用が、３０年以上検討されている。特に、ヒドロキシアパタイトなどのリン酸カルシウムは、それの骨誘導性の結果、推奨されている。
【０００３】
したがって、手術技法及び医学的知識が進展するにつれて、合成骨置換材料への需要が伸びている。このため、関節や顔の再建等における、耐荷重性及び非耐荷重性両方の骨欠損部を充填するための合成骨置換材料の開発への関心が高まっている。
【０００４】
ヒドロキシアパタイトの生体適合性は、ヒドロキシアパタイトの結晶構造と骨のミネラル量との類似性と相まって、骨欠損部を増強する材料としてのヒドロキシアパタイトへの大きな関心につながっている。アパタイト鉱物群は、リン酸カルシウムに基づいており、化学量論的ヒドロキシアパタイトはＣａ／Ｐモル比１．６７を有する。ヒドロキシアパタイトは、化学式Ｃａ１０（ＰＯ４）６（ＯＨ）２を有する。
【０００５】
シリケート（又はケイ素）置換ヒドロキシアパタイト組成物は、ヒドロキシアパタイト格子内のシリケートイオンの存在が骨細胞の働きを高め、且つ骨修復を促進すると考えられ、骨置換材料としての化学量論的ヒドロキシアパタイトの魅力的な代替物を提供する。ヒドロキシアパタイト中へのシリケート（又はケイ素）の置換には組成的な限界があり、シリケート置換のレベルがこの限界を超えると、ヒドロキシアパタイトは、典型的な焼結温度約１２００℃において熱的に不安定になり、リン酸三カルシウムなどの二次相が形成される。ヒドロキシアパタイト格子内へのシリケート置換の置換限界は、およそ５．３重量％（又はケイ素１．６重量％）である。ＰＣＴ／ＧＢ９７／０２３２５は、置換されたヒドロキシアパタイト材料について記載している。
【０００６】
疑念を避けるため、本明細書において使用される用語、シリケート置換は、ケイ素置換も包含する。同様に、本明細書において使用される、ケイ素置換は、シリケート置換も包含する。
【０００７】
ヒドロキシアパタイトにおけるシリケート置換は、組成
Ｃａ１０（ＰＯ４）６−ｘ（ＳｉＯ４）ｘ（ＯＨ）２−ｘ
によって表すことができる。
【０００８】
焼結を経て単一の純粋なヒドロキシアパタイト様相として残り、セラミックスを形成するような、実際の組成物は、およそｘ＝０．６の値までに限定される。より高いｘの値では、多相の組成物が得られる。
【０００９】
ｘ＝２．０である場合、組成物は、
Ｃａ１０（ＰＯ４）４（ＳｉＯ４）２
で表される。
【００１０】
この特定の相は、ケイリン酸カルシウム（ｃａｌｓｉｕｍ  ｓｉｌｉｃｏ−ｐｏｓｐｈａｔｅ）（ＣＰＳと呼ばれる）として、又は鉱物名シリコカルノタイト（ｓｉｌｉｃｏｃａｒｎｏｔｉｔｅ）として表される。固相法により調製されるこの材料の構造は、Ｄｉｃｋｅｎｓらにより報告された（Ｂ．Ｄｉｃｋｅｎｓ，Ｗ．Ｅ．Ｂｒｏｗｎ、「Ｃｒｙｓｔａｌ  ｓｔｒｕｃｔｕｒｅ  ｏｆ  ｓｉｌｉｃｏｃａｒｎｏｔｉｔｅ」、Ｔｓｃｈｅｒｍａｋｉｓ  Ｍｉｎｅｒａｌ  Ｐｅｔｒｏｇｒ  Ｍｉｔｔ  １９７１；１６：１〜２７頁）。水熱合成を使用した、より最近の合成は、Ｂａｌａｓらにより記述され、Ｂａｌａｓらは、最終生成物をＸ線光電子分光法（ＸＰＳ）標準物質として使用した（Ｆ．Ｂａｌａｓら、「Ｉｎ  ｖｉｔｒｏ  ｂｉｏａｃｔｉｖｉｔｙ  ｏｆ  ｓｉｌｉｃｏｎ−ｓｕｂｓｔｉｔｕｔｅｄ  ｈｙｄｒｏｘｙａｐａｔｉｔｅ」、Ｊ．Ｂｉｏｍｅｄ．Ｍａｔｅｒ．Ｒｅｓ．６６Ａ（２００３）３６４〜３７５頁）。Ｋｉｍらは、３．７６重量％のＳｉを含有するケイ素置換ヒドロキシアパタイト組成物（Ｃａ１０（ＰＯ４）６−ｘ（ＳｉＯ４）ｘＯＨ２−ｘにおけるｘ＝１．３に対応する）中におけるＣＰＳ相の生成を観察した（Ｓ．Ｒ．Ｋｉｍら、「Ｓｙｎｔｈｅｓｉｓ  ｏｆ  Ｓｉ，Ｍｇ−ｓｕｂｓｔｉｔｕｔｅｄ  ｈｙｄｒｏｘｙａｐａｔｉｔｅｓ  ａｎｄ  ｔｈｅｉｒ  ｓｉｎｔｅｒｉｎｇ  ｂｅｈａｖｉｏｕｒ」、Ｂｉｏｍａｔｅｒｉａｌｓ  ２４（２００３）１３８９〜１３９８頁）。しかし、生成されたＣＰＳ相の最大量は３０％未満であった。
【００１１】
Ｈ−Ｗ．Ｌｅｅ及びＪ−Ｈ  Ｋｉｍ、Ｋｏｒｅａｎ  Ｃｅｒａｍｉｃ  Ａｃａｄｅｍｙ  Ｓｏｃｉｅｔｙ  ３１（１９９４）「Ｐｒｏｐｅｒｔｉｅｓ  ｏｆ  Ｈｙｄｒａｔｉｏｎ  ａｎｄ  Ｓｔｒｅｎｇｔｈ  ｏｆ  Ｓｏｌ−ｇｅｌ  ｄｅｒｉｖｅｄ  ｆｉｎｅ  ｐａｒｔｉｃｌｅｓ  ｉｎ  ｔｈｅ  ｓｙｓｔｅｍ  ＣａＯ−Ｐ２Ｏ５−ＳｉＯ２」；Ｍ．Ｗ．Ｂａｒｎｅｓら、「Ｈｙｄｒａｔｉｏｎ  ｉｎ  ｔｈｅ  ｓｙｓｔｅｍ  Ｃａ２ＳｉＯ４−Ｃａ３（ＰＯ４）２  ａｔ  ９０℃」、Ｊ．Ａｍ．Ｃｅｒａｍ  Ｓｏｃ．７５［６］（１９９２）１４２３〜１４２９頁は、低温度反応系である水硬性骨セメント系によるケイリン酸カルシウム又はシリコカルノタイト相の生成を記述している。
【００１２】
米国特許第４，６１２，０５３号は、歯ほうろう質における虫歯病変の再石灰化剤としての難溶性リン酸カルシウムの組合せ、及び部分再石灰化した象牙質及びセメント質、並びに歯科用セメントとしてのそれらの用途に関する。
【００１３】
特許第３０２３２４５号及び特許第３０３３０５９号は、低コスト水硬性セメント組成物に関する。
【００１４】
米国特許第６，３４２，５４７号は、シリケート化合物粉末をエポキシ樹脂に添加することにより得られる、ＳＦ６ガス遮蔽用デバイス向けのエポキシ樹脂組成物に関する。
【００１５】
特許第４０２２００３号及び特許第４０２２００４号は、高い耐熱性及び高い電気絶縁性特性を有し、無機繊維の複合体とリン酸カルシウム化合物の養生水和物とから構成される電気絶縁性部材に関する。
【００１６】
本発明は、バイオセラミックインプラント材料として使用するための、焼結／熱処理の制御によって、主相としてケイリン酸カルシウム又はシリコカルノタイト（ＣＰＳと呼ばれる）を含有する組成物の、水性沈殿反応を用いた合成について記述する。
【００１７】
この合成反応、及びその後の熱処理は、本バイオセラミック組成物を、工業的規模量で生産するのに適している。
【００１８】
したがって、第１の態様において、本発明は、リンシリケートカルシウム（ｃａｌｃｉｕｍ  ｐｈｏｓｐｈｏｓｉｌｉｃａｔｅ）（ＣＰＳ、Ｃａ１０（ＰＯ４）４（ＳｉＯ４）２）を含むバイオセラミック組成物の合成方法であって、
カルシウム又はカルシウム含有化合物と、リン含有化合物と、ケイ素含有化合物とを準備する工程と、
これらの化合物をアルカリ性ｐＨにおいて水相内で反応させることにより沈殿を生成する工程と
を含む方法を提供する。
【００１９】
この方法は、本発明の任意の他の態様を参照して、本明細書において記述される組成物を生成させるために使用できる。
【００２０】
次に、本発明をさらに記述する。以下の一節において、本発明の種々の態様が、より詳細に定義される。そのように定義されたそれぞれの態様は、特に明らかにそうではないと示されない限り、１つ若しくは複数の他の態様のいずれとも組み合わせることができる。特に、好ましい若しくは有利であるとして示されるいずれの特徴も、好ましい若しくは有利であるとして示されるいずれの他の１つ若しくは複数の特徴と組み合わせることができる。
【００２１】
リンシリケートカルシウム（ＣＰＳ）は、本組成物において、主相として存在することが好ましく、好ましくは５０重量％以上の量で、より好ましくは６０重量％以上の量で、さらに好ましくは７０重量％以上の量で、一層好ましくは８０重量％以上の量で存在する。
【００２２】
本発明者らは、ＣＰＳの高収率を得るために、カルシウム対リン酸塩＋シリケートのモル比が、約１０：６と選択されることが有利であることを見出している。同一の理由で、リン酸塩対シリケートのモル比が、約５：１〜約４：２と選択されることが有利である。好ましい実施形態において、リン酸塩対シリケートのモル比は、カルシウム１０モルに対して、約４．２：１．８〜約４：２である。
【００２３】
カルシウム含有化合物は、カルシウム塩であることが好ましく、例えば、水酸化カルシウム、塩化カルシウム、硝酸カルシウム及び／又は硝酸カルシウム水和物の１種又は複数から選択できる。
【００２４】
リン含有化合物は、リン酸塩及び／又はリン酸の一方又は両方から、より好ましくはリン酸アンモニウム及び／又はリン酸の一方又は両方から選択されることが好ましい。
【００２５】
ケイ素含有化合物は、シリケートであることが好ましく、例えば、テトラエチルオルトシリケート（ＴＥＯＳ）及び／又は酢酸ケイ素の一方又は両方から選択できる。
【００２６】
シリケートは、本材料中に２０重量％以下の量で存在することが好ましく、１２〜２０重量％の量で存在することがより好ましく、１７〜２０重量％の量で存在することがさらに好ましい。
【００２７】
１つ又は複数の水性沈殿工程は、アルカリ性ｐＨで行われることが好ましい。ＣＰＳの収率を最適化するために、本発明者らは、ｐＨが８〜１３、より好ましくは１０〜１２、であることが好ましいことを見出している。
【００２８】
アルカリを添加して、所望のｐＨまで、溶液のｐＨを調節することができる。適切な例は、水酸化アンモニウムである。
【００２９】
本発明による水性沈殿法は、室温（典型的には２０〜３０℃）で行うことができる。
【００３０】
沈殿が生成された後、沈殿は、１０００℃〜１６００℃、より好ましくは１１００℃〜１５００℃、より一層好ましくは１２００℃〜１３００℃の範囲の温度まで加熱されることが好ましい。材料は、これらの温度で焼結されることが好ましい。本発明者らは、これらの温度範囲内における焼結により、ＣＰＳの収率が上昇することを見出している。
【００３１】
沈殿は、１〜１２０時間、より好ましくは２〜３２時間、より一層好ましくは４〜１６時間加熱することが好ましい。この好ましい加熱時間は、１〜２時間よりも長い焼結時間が、セラミックの粒径の増加、強度の低下及び製造コストの上昇につながるため、ヒドロキシアパタイト又はシリケート置換ヒドロキシアパタイトセラミックスを焼結するのに従来使用された時間よりも著しく長い。しかし、本発明の場合、本発明者らは、焼結加熱時間が少なくとも２時間伸びると、ヒドロキシアパタイト様相及びアルファ−リン酸三カルシウム様相を犠牲にして、より多量のＣＰＳ相の生成につながることを見出している。加熱ステップにより、典型的には材料の焼結がもたらされる。
【００３２】
本方法は、加熱温度から試料を冷却する工程と、場合によって加熱後アニーリングするステップを行う工程とをさらに含むことができる。これらの追加工程は、所望される場合、アルファ−リン酸三カルシウム二次相のベータ−リン酸三カルシウムへの変態を促進するので、有用な工程である。
【００３３】
本バイオセラミック組成物は、副成分（典型的には２重量％未満）として非晶質相も含有できる。本バイオセラミック組成物は、不可避的な不純物（典型的には１重量％未満）も含有できる。
【００３４】
第２の態様において、本発明は、リンシリケートカルシウム（ＣＰＳ、Ｃａ１０（ＰＯ４）４（ＳｉＯ４）２）を含む合成バイオセラミック組成物であって、
カルシウム又はカルシウム含有化合物と、リン含有化合物と、ケイ素含有化合物とを混合する工程を包含する１つ又は複数の水性沈殿工程と、
１つ又は複数の水性沈殿工程により生成され、集合された生成物を加熱する工程と、
を含む方法により得られる組成物を提供する。
【００３５】
一実施形態において、この合成バイオセラミック組成物は、主相としてリンシリケートカルシウムを含み、それと一緒に１種又は複数の二次副相、例えば、ヒドロキシアパタイト、シリケート置換ヒドロキシアパタイト、アルファ−リン酸三カルシウム、ベータ−リン酸三カルシウム、ブルシャイト、モネタイト（ｍｏｎｅｔｉｔｅ）、リン酸四カルシウム、リン酸八カルシウム、ピロリン酸カルシウム、シリケートカルシウム、酸化カルシウム、炭酸カルシウム、非晶質リン酸カルシウムガラス、非晶質シリケートカルシウムガラス及び／又は非晶質リンシリケートカルシウムガラスなどを含む。
【００３６】
このリンシリケートカルシウム相は、全結晶相組成物の５０〜９８重量％、好ましくは７０〜９８重量％、より好ましくは９０〜９８重量％を構成することができる。この組成物の残部は、例えば、上述の、１種又は複数の二次副相から構成され得る。したがって、合成バイオセラミック組成物は、例えば、２〜３０重量％の、１種又は複数のこれらの二次副相を含有できる。好ましい副相は、ヒドロキシアパタイト、シリケート置換ヒドロキシアパタイト、アルファ−リン酸三カルシウム及び／又はベータ−リン酸三カルシウムの１種又は複数を含む。上述の二次相の存在は、それらの二次相が、生体内においてカルシウムイオン及びリン酸塩イオンが利用可能になる速度に影響を及ぼすので、望ましいとすることができる。
【００３７】
好ましい一実施形態において、リンシリケートカルシウム相は、全結晶相組成物のおよそ９８（±２）重量％を構成する。
【００３８】
本発明の他の好ましい実施形態において、主相としてリンシリケートカルシウム（ＣＰＳ）を含む合成バイオセラミック組成物であって、二次相がヒドロキシアパタイト及び／又はヒドロキシアパタイト様相を含む組成物が提供される。ヒドロキシアパタイト様相には、例えばシリケート置換ヒドロキシアパタイトを包含することを意図している。リンシリケートカルシウムは、組成物の７０〜９８重量％、より好ましくは８０〜９８重量％を構成することができる。二次相は、組成物の２〜３０重量％、より好ましくは２〜２０重量％を構成することができる。少量（典型的には＜１重量％）の不可避的な不純物も存在できる。
【００３９】
本発明の他の好ましい実施形態において、主相としてリンシリケートカルシウム（ＣＰＳ）を含む合成バイオセラミック組成物であって、二次相が、アルファ−リン酸三カルシウム、アルファ−リン酸三カルシウム様相、ベータ−リン酸三カルシウム及び／又はベータ−リン酸三カルシウム様相の１種又は複数を含む組成物が提供される。リンシリケートカルシウムは、組成物の７０〜９８重量％、より好ましくは８０〜９８重量％を構成することができる。二次相は、組成物の２〜３０重量％、より好ましくは２〜２０重量％を構成することができる。少量（典型的には＜１重量％）の不可避的な不純物も存在できる。
【００４０】
本発明の他の好ましい実施形態において、主相としてリンシリケートカルシウム（ＣＰＳ）を含む合成バイオセラミック組成物であって、二次相が、（ｉ）ヒドロキシアパタイト及び／又はヒドロキシアパタイト様相、並びに（ｉｉ）アルファ−リン酸三カルシウム及び／又はアルファ−リン酸三カルシウム様相の一方又は両方、並びに／或いは（ｉｉｉ）ベータ−リン酸三カルシウム及び／又はベータ−リン酸三カルシウム様相を含む組成物が提供される。リンシリケートカルシウムは、組成物の７０〜９８重量％、より好ましくは８０〜９８重量％を構成することができる。二次相は、組成物の２〜３０重量％、より好ましくは２〜２０重量％を構成することができる。少量（典型的には＜１重量％）の不可避的な不純物も存在できる。
【００４１】
上記において言及したように、上述の二次相の存在は、それらの二次相が、生体内においてカルシウムイオン及びリン酸塩イオンが利用可能になる速度に影響を及ぼすので、望ましいとすることができる。例えば、アルファ−リン酸三カルシウムは、ＣＰＳよりも可溶性であり、したがってカルシウムイオン及びリン酸塩イオンをより速くする。
【００４２】
本発明は又、本明細書において記述した組成物を含む、合成骨材料、骨インプラント、整形外科インプラント、組織インプラント、骨移植片、骨補填材、骨足場、充填材、コーティング又はセメントも提供する。本発明は又、これらの用途における、本明細書において記述した組成物の使用も提供する。本発明は又、治療しようとする患者の部位へ、本明細書において記述したバイオセラミック組成物を送達するステップを含む患者の治療方法も提供する。本発明は又、生物医学的インプラントとして使用するための、本明細書において記述したバイオセラミック組成物も提供する。本発明は又、治療法において使用するための、本明細書において記述したバイオセラミック組成物も提供する。本発明は又、再建又は置換手術において使用するための、本明細書において記述したバイオセラミック組成物も提供する。
【００４３】
本明細書において記述したバイオセラミック組成物は、それ自体で、又は１種又は複数の生体適合性ポリマー、他の型のセラミック、ガラス及び／又はガラス−セラミック材料と一緒に、これらの生物医学的用途において使用できることが理解されよう。
【００４４】
本発明は、例として、下記の非限定的実施例及び添付図面を参考にして、ここでさらに記述される。
【図面の簡単な説明】
【００４５】
【図１】１３００℃で８時間焼結したケイリン酸カルシウム組成物ＣＰＳ−１．８（ｘ＝１．８、ｐＨ１２）のＸ線回折図形（矢印は副二次相としてのアルファ−ＴＣＰを示し、全ての他のピークはＣＰＳ相に対応する。）の図である。
【図２】１３００℃で８時間焼結したケイリン酸カルシウム組成物ＣＰＳ−１．８（ｘ＝１．８、ｐＨ１２）の、ＰＡＳセルを使用して得られたフーリエ変換赤外（ＦＴＩＲ）スペクトルの図である。
【図３】１２００℃で焼結したケイリン酸カルシウム組成物ＣＰＳ−２．０（ｘ＝２．０、ｐＨ１２）の相組成への焼結時間の効果を示すグラフである。
【図４】１３００℃で８時間焼結したケイリン酸カルシウム組成物ＣＰＳ−２．０（ｘ＝２．０、ｐＨ１２）のＸ線回折図形（矢印は副二次相としてのアルファ−ＴＣＰを示し、全ての他のピークはＣＰＳ相に対応する。）の図である。
【００４６】
実施例１−主相としてケイリン酸カルシウム（ＣＰＳ）（ｘ＝１．８）を有するバイオセラミックの合成
【００４７】
合成用出発材料は、表１に示す通りであった。
【表１】
2011509235.tif 000003
【００４８】
およそ１０グラムの新規な材料の小バッチを調製した。合成前に、炭酸カルシウム粉末をシリカるつぼに入れ、炉内で９００℃において加熱することにより、２４時間脱炭酸して、酸化カルシウムを生成させた。酸化カルシウム粉末を、２００ｍＬの蒸留水に添加して、水和水酸化カルシウム溶液を形成させた。次いで、調製したオルトリン酸溶液及びテトラエチルオルトシリケート（ＴＥＯＳ）溶液を、連続して撹拌しながら１滴ずつ（一緒に）添加した。同様な合成において、オルトリン酸溶液及びテトラエチルオルトシリケート溶液を、別々に添加した。Ｈ３ＰＯ４／ＴＥＯＳ溶液を添加する間、適切な塩基、例えばアンモニア溶液、水酸化ナトリウム又は水酸化カリウムなどを添加することにより、所要のレベルまでｐＨを調節した。次いで沈殿に蓋をして、さらに１時間撹拌した後、そのまま一晩静置した。次いで、ブフナー漏斗及び真空ポンプを使用し、沈殿を濾過した。沈殿を漏斗から取り出し、乾燥オーブン内において８０℃前後で２４時間乾燥させた。
【００４９】
下式は、ケイリン酸カルシウム（ＣＰＳ）の式、
Ｃａ１０（ＰＯ４）６−ｘ（ＳｉＯ４）ｘ（ＯＨ）２−ｘ
を表し、式中ｘは、ドーピングのレベルに等しい。
【００５０】
ｘ値が１．４〜２．４の範囲にある一連の組成物を調製した。ＣＰＳ収率に関して最適な範囲は、１．６と２．２の間にあり、最も好ましくは１．８〜２．０であることが見出された。
【００５１】
ｘ＝２．０については、式はＣａ１０（ＰＯ４）４（ＳｉＯ４）２となり、これはＣａ５（ＰＯ４）２（ＳｉＯ４）に等しく、ヒドロキシル基を含有しないと報告されたＣＰＳ相である。ｘ値は、以下の例で概説されるように計算した。
【００５２】
ｘ＝１．８（ＣＰＳ−１．８）については、下式を書くことができる。
１０ＣａＯ＋４．２Ｈ３ＰＯ４＋１．８Ｓｉ（ＯＣ２Ｈ５）４→Ｃａ１０（ＰＯ４）４．２（ＳｉＯ４）１．８（ＯＨ）０．２
上式は、合成ｐＨが≧８であるとの条件で正しい。
【００５３】
係数１００で割ると（１０ｇだけ必要なので）、下記が得られる：
０．１モルのＣａＯ＝５．６０７９ｇ、
０．０４２モルのＨ３ＰＯ４＝４．８４２ｇ（出発材料の８５重量％を補償するように調整した）、
０．０１８モルのＴＥＯＳ＝３．７５０ｇ。
【００５４】
より大きいバッチ例えば５０ｇを合成する場合、割る係数は２０に減って、所要の反応物質量が与えられる。
【００５５】
それぞれのｘ値について、合成を３回繰り返したが、ｐＨ値８、１０及び１２においてであった。ｐＨ計を使用して、合成の間のｐＨをモニターした。必要な場合、アンモニア溶液及び硝酸を使用してｐＨを調節した。大部分のオルトリン酸／ＴＥＯＳ溶液が添加されるまでｐＨをモニターし、次いでしたがって、合成が完了するまでｐＨを調節した。アルカリ性ｐＨ８〜１２が、良好なＣＰＳ収率をもたらすことが見出されている。
【００５６】
全てのｘ値及び全てのｐＨで試料の合成を反復したが、オルトリン酸の添加を、ＴＥＯＳの添加の前に行った。オルトリン酸を添加した後、化学量論的ＨＡが優先的に形成され、シリケートが包含されるのを妨げる恐れがある可能性があるので、主合成にはこの方法を使用しないことに決定した。２つの溶液を一緒に添加することによって（好ましい方法）、意図された化学量論（Ｓｉ／Ｐ）のまま残ると考えられる。
【００５７】
全ての濾過及び乾燥した試料を、炉において白金ボート内で粉末として焼結した。目標温度に到達するまで１分当り５℃で温度を上昇させた。次いで、所与の時間この温度で保持した後、１分当り１０℃の速度で２５℃まで冷却した。
【００５８】
これらの種々の条件下における相組成の進展をモニターするため、１１００、１２００及び１３００℃で、２、４、８及び１６時間、焼結を行った。
【００５９】
試料は、Ｘ線回折計を使用しλ＝１．５４１８ÅのＣｕ  Ｋα線により相キャラクタリゼーションに掛けた。それぞれの試料について相分析を行って、焼結した試料の相組成を決定した。この相分析は、ＥＶＡソフトウエア、及び粉末回折ファイルからの標準パターンを使用して行った。
【００６０】
試料の百分率組成を計算するため、市販の定量的相分析技法を使用し（ＴＯＰＡＳ）、これにより、Ｘ線回折データから、存在する結晶相の相対量を測定した。
【００６１】
ｐＨ＝１２で調製し、１３００℃で８時間焼結したｘ＝１．８を有する試料（ＣＰＳ−１．８）について、主相はケイリン酸カルシウム（ＣＰＳ）であり、副相としてアルファ−リン酸三カルシウムを有していた。Ｘ線回折データの定量的相分析から決定された相組成を、表２に掲げている。
【表２】
2011509235.tif 000004
【００６２】
この組成物の化学分析は、ＸＲＦを使用して行い、それらの結果を表３に掲げている。Ｃａ／（Ｐ＋Ｓｉ）モル比が幾分、設計組成の１．６７未満であり、これはＸ線回折により観察される少量のα−ＴＣＰと一致する。
【表３】
2011509235.tif 000005
【００６３】
表２に示される最終組成は、主相としてケイリン酸カルシウム（ＣＰＳ）を有し、生体活性のアルファ−リン酸三カルシウムが副相として存在するように設計された。この十分に特性付けられたリン酸カルシウム相が、副二次相として存在することにより、いくつかの用途において、本バイオセラミック組成物の生体内行動が促進される。
【００６４】
１３００℃で８時間焼結したｐＨ＝１２、ｘ＝１．８の組成物（ＣＰＳ−１．８）のＸ線回折図形を図１に示し、対応するフーリエ変換赤外（ＦＴＩＲ）スペクトルを図２に示している。
【００６５】
１２００℃で焼結した試料の相組成への、焼結時間の２〜１６時間増加の効果を図３に示している。焼結時間を増加すると、２時間後にはＣＰＳ相がヒドロキシアパタイト様相と等しい割合で存在するが、８若しくは１６時間後にはＣＰＳ相が主相となるような、ヒドロキシアパタイト様相の量の減少、及びＣＰＳ相の量における驚くほど大きな増加をもたらした。これに反して、単一相のヒドロキシアパタイト又はシリケート置換ヒドロキシアパタイト試料の焼結は、１２００℃で焼結／加熱時間を延長しても、何ら相組成の変化をもたらさないであろう。
【００６６】
ＦＴＩＲスペクトルは、リン酸塩及びシリケートの基に対応する特性ピークを示し、約３５７０ｃｍ−１におけるヒドロキシル基に対応する顕著なピークが存在しないことを示しており、この組成物が主としてケイリン酸カルシウム（ＣＰＳ）相を含有することを示す。
【００６７】
１３００℃で８時間焼結したｐＨ＝１２、ｘ＝１．８の組成物（ＣＰＳ−１．８）を、ＩＳＯ  １０９９３−１４により記述されるように、ｐＨ７．４及び３７℃のトリス緩衝液に１２０時間浸漬した効果は、浸漬溶液のｐＨが７．４から７．９５まで上昇する（ＳＤ＝０．０３）が、同一の浸漬期間にわたって単一相ヒドロキシアパタイト試料では、ｐＨ７．４〜７．５８の小さな上昇（ＳＤ＝０．０２）を示すに過ぎなかった。１３００℃で８時間焼結したｐＨ＝１２、ｘ＝１．８の組成物（ＣＰＳ−１．８）による試料の重量減少は、２．２１％であった（ＳＤ＝０．３３）が、同一の時間的期間にわたって単一相ヒドロキシアパタイト試料では、４．９５％のより大きな重量減少（ＳＤ＝０．３３）を示した。組成物ＣＰＳ−１．８による試料では、浸漬した顆粒表面上にリン酸カルシウムアパタイト様相が沈殿することを走査電子顕微鏡検査（ＳＥＭ）により実際に証拠として示し、このことは試料の質量減少（溶液中へのＣａ及びＰＯ４イオンの溶解）及びｐＨ上昇（これは、表面のアパタイト様層の沈殿と整合する）と一致していた。単一相ヒドロキシアパタイト試料では、ＳＥＭにより、試料表面上にアパタイト様相が沈殿する証拠は全く示されなかった。
【００６８】
実施例２−主相としてケイリン酸カルシウム（ＣＰＳ）（ｘ＝２．０）を有するバイオセラミックの合成
【００６９】
ｘ＝２．０（ＣＰＳ−２．０）については、下式を書くことができる。
１０ＣａＯ＋４Ｈ３ＰＯ４＋２Ｓｉ（ＯＣ２Ｈ５）４→Ｃａ１０（ＰＯ４）４（ＳｉＯ４）２
上式は、合成ｐＨが≧８であるとの条件で正しい。
【００７０】
係数１００で割ると（１０ｇだけ必要なので）、下記が得られる：
０．１モルのＣａＯ＝５．６０７９ｇ、
０．０４モルのＨ３ＰＯ４＝４．８４２ｇ（出発材料の８５重量％を補償するように調整した）、
０．０２モルのＴＥＯＳ＝３．７５０ｇ。
【００７１】
より大きいバッチ例えば５０ｇを合成する場合、割る係数は２０に減って、所要の反応物質量が与えられる。
【００７２】
ｘ＝２．０を有する試料の合成及びキャラクタリゼーションは、ｘ＝１．８について実施例１において記述されるように行った。
【００７３】
１３００℃で８時間焼結した後の、試料ＣＰＳ−２．０の相組成は、Ｘ線回折データの定量的相分析により決定され、表４に掲げられる。この組成は、主相としてケイリン酸カルシウムからなり、二次相として少量のアルファ−ＴＣＰを有する。ＣＰＳ−２．０試料中のアルファ−ＴＣＰの量は、ＣＰＳ−１．８試料中に観察されたアルファ−ＴＣＰの量（１１％、表２）よりもかなり低かった。
【表４】
2011509235.tif 000006
【００７４】
この組成物の化学分析は、ＸＲＦを使用して行い、それらの結果を表５に掲げている。組み込まれているＳｉ量は、予想されるように、ｘ＝１．８組成物について観察された量よりも多い。さらにＣａ／（Ｐ＋Ｓｉ）モル比が幾分、設計組成の１．６７未満であり、これはＸ線回折により観察される少量のα−ＴＣＰと一致する。
【表５】
2011509235.tif 000007
【００７５】
１３００℃で８時間焼結した試料ＣＰＳ−２．０のＸ線回折図形を、図４に示している。
【図１】
2011509235.tif 000008
【図２】
2011509235.tif 000009
【図３】
2011509235.tif 000010
【図４】
2011509235.tif 000011
【国際調査報告】
2011509235.tif 000012
2011509235.tif 000013
2011509235.tif 000014